【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
第１領域と前記第１領域とは光沢特性が異なる第２領域とを有する第１層と、前記第１領域に対応する第３領域と前記第２領域に対応する第４領域とを有する第２層と、を積層した画像を記録媒体上に形成するためのデータを生成する画像処理装置であって、
前記第１層を形成するための光沢記録材の前記第１層におけるドット配置に対応する第１ドット配置データを取得する第１取得手段と、
前記第２層を形成するための有色記録材の記録量を表し、前記第３領域と前記第４領域とで前記有色記録材の記録量が異なる画像データを取得する第２取得手段と、
前記第１ドット配置データに対応するドット配置に基づいて、前記画像データを、前記記録媒体上における前記有色記録材のドット配置に対応する第２ドット配置データに変換するハーフトーン処理を行うハーフトーン手段と、を有し、
前記ハーフトーン手段は、前記第１ドット配置データに対応するドット配置に基づいて、前記第３領域における前記ハーフトーン処理と前記第４領域における前記ハーフトーン処理とを別々に行うことを特徴とする画像処理装置。
【請求項２】
前記ハーフトーン手段は、誤差拡散法によって前記ハーフトーン処理を行うことを特徴とする請求項１に記載の画像処理装置。
【請求項３】
前記ハーフトーン手段は、前記第３領域に対する前記ハーフトーン処理における誤差を前記第４領域に拡散させず、前記第４領域に対する前記ハーフトーン処理における誤差を前記第３領域に拡散させないことを特徴とする請求項２に記載の画像処理装置。
【請求項４】
前記光沢記録材は前記記録媒体上における光沢を制御するための記録材であり、
前記有色記録材は有色の記録材であることを特徴とする請求項１乃至請求項３のいずれか一項に記載の画像処理装置。
【請求項５】
前記光沢記録材は、前記光沢記録材が塗布された領域で反射した光の拡散反射成分が、前記記録媒体で反射した前記光の拡散反射成分より大きい記録材であることを特徴とする請求項１乃至請求項４のいずれか一項に記載の画像処理装置。
【請求項６】
前記光沢記録材はホワイトインクであり、
前記記録媒体はシルバーメディアであることを特徴とする請求項５に記載の画像処理装置。
【請求項７】
前記光沢記録材は、前記光沢記録材が塗布された領域で反射した光の正反射成分が、前記記録媒体で反射した前記光の正反射成分より大きい記録材であることを特徴とする請求項１乃至請求項４のいずれか一項に記載の画像処理装置。
【請求項８】
前記光沢記録材はシルバーインクであり、
前記記録媒体はホワイトメディアであることを特徴とする請求項７に記載の画像処理装置。
【請求項９】
前記第４領域は、前記第１層において対応する領域それぞれが異なる複数の領域を有し、
前記ハーフトーン手段は、前記複数の領域におけるそれぞれの前記ハーフトーン処理を別々に行うことを特徴とする請求項１乃至請求項８のいずれか一項に記載の画像処理装置。
【請求項１０】
前記画像への入射光に対する反射強度又は反射率を取得する第３取得手段と、
前記反射強度又は反射率に基づいて、前記光沢記録材の記録量を決定する第１決定手段と、
前記光沢記録材の記録量に基づいて、前記第１ドット配置データを生成する第１生成手段と、をさらに有し、
前記第１取得手段は、前記第１生成手段によって生成された前記第１ドット配置データを取得することを特徴とする請求項１乃至請求項９のいずれか一項に記載の画像処理装置。
【請求項１１】
前記画像の色を表す色信号を取得する第４取得手段と、
前記色信号に基づいて、前記有色記録材の記録量を決定する第２決定手段と、
前記有色記録材の記録量に基づいて、前記画像データを生成する第２生成手段と、をさらに有し、
前記第２取得手段は、前記第２生成手段によって生成された前記画像データを取得することを特徴とする請求項１乃至請求項１０のいずれか一項に記載の画像処理装置。
【請求項１２】
前記画像データは各画素に前記有色記録材の記録量を表す画素値を有するデータであって、
前記第２層の前記第３領域と前記第４領域とを識別するマスクデータを取得する第５取得手段と、
前記マスクデータに基づいて、前記第３領域の画素値のみを有する第３領域データと前記第４領域の画素値のみを有する第４領域データを生成する第３生成手段と、をさらに有し、
前記ハーフトーン手段は、前記第３領域データと前記第４領域データとに対して別々に前記ハーフトーン処理を行うことを特徴とする請求項１乃至請求項１１のいずれか一項に記載の画像処理装置。
【請求項１３】
前記第３領域データにおいて、前記第４領域の画素値を前記第３領域の画素値を用いて補間し、前記第４領域データにおいて、前記第３領域の画素値を前記第４領域の画素値を用いて補間する補間手段をさらに有し、
前記ハーフトーン手段は、前記画像データとして、前記補間手段によって画素値を補間された前記第３領域データと前記第４領域データとに対して別々に前記ハーフトーン処理を行うことを特徴とする請求項１２に記載の画像処理装置。
【請求項１４】
前記光沢記録材はクリアインクであることを特徴とする請求項１乃至請求項３のいずれか一項に記載の画像処理装置。
【請求項１５】
前記第１層は前記クリアインクによって形成された構造体を有する層であって、
前記画像の光沢の強度が最も大きい位置の方位角を取得する第６取得手段と、
前記光沢の強度が最も大きい方位角に基づいて、前記構造体が有する斜面の向きの方位角が前記光沢の強度が最も大きい方位角に近くなるように、前記構造体を形成するためのクリアインクの記録量を決定する第３決定手段と、
前記クリアインクの記録量に基づいて、前記第１ドット配置データを生成する第４生成手段と、をさらに有し、
前記第１取得手段は、前記第４生成手段によって生成された前記第１ドット配置データを取得することを特徴とする請求項１４に記載の画像処理装置。
【請求項１６】
前記第１ドット配置データと前記第２ドット配置データとに基づいて、前記第１層の形成と前記第２層の形成とを制御する制御手段をさらに有することを特徴とする請求項１乃至請求項１５のいずれか一項に記載の画像処理装置。
【請求項１７】
第１領域と前記第１領域とは光沢特性が異なる第２領域とを有する第１層と、前記第１領域に対応する第３領域と前記第２領域に対応する第４領域とを有する第２層と、を積層した画像を記録媒体上に形成するためのデータを生成する画像処理装置であって、
前記第１層を形成するための光沢記録材の前記第１層におけるドット配置に対応する第１ドット配置データを取得する第１取得手段と、
前記第２層を形成するための有色記録材の記録量を表し、前記第３領域と前記第４領域とで前記有色記録材の記録量が異なる画像データを取得する第２取得手段と、
前記第１ドット配置データに基づいて、前記画像データに対して行う誤差拡散法によるハーフトーン処理の拡散係数を補正する補正手段と、
前記補正手段によって補正された前記拡散係数を用いた誤差拡散法により、前記画像データを、前記記録媒体上における前記有色記録材のドット配置に対応する第２ドット配置データに変換する前記ハーフトーン処理を行うハーフトーン手段と、
を有することを特徴とする画像処理装置。
【請求項１８】
コンピュータを請求項１乃至請求項１７のいずれか一項に記載の画像処理装置の各手段として機能させるためのプログラム。
【請求項１９】
第１領域と前記第１領域とは光沢特性が異なる第２領域とを有する第１層と、前記第１領域に対応する第３領域と前記第２領域に対応する第４領域とを有する第２層と、を積層した画像を記録媒体上に形成するためのデータを生成する画像処理装置の画像処理方法であって、
前記第１層を形成するための光沢記録材の前記第１層におけるドット配置に対応する第１ドット配置データを取得する第１取得ステップと、
前記第２層を形成するための有色記録材の記録量を表し、前記第３領域と前記第４領域とで前記有色記録材の記録量が異なる画像データを取得する第２取得ステップと、
前記第１ドット配置データに対応するドット配置に基づいて、前記画像データを、前記記録媒体上における前記有色記録材のドット配置に対応する第２ドット配置データに変換するハーフトーン処理を行うハーフトーンステップと、を有し、
前記ハーフトーンステップにおいて、前記第１ドット配置データに対応するドット配置に基づいて、前記第３領域における前記ハーフトーン処理と前記第４領域における前記ハーフトーン処理とを別々に行うことを特徴とする画像処理方法。
【請求項２０】
第１領域と前記第１領域とは光沢特性が異なる第２領域とを有する第１層と、前記第１領域に対応する第３領域と前記第２領域に対応する第４領域とを有する第２層と、を積層した画像を記録媒体上に形成するためのデータを生成する画像処理装置の画像処理方法であって、
前記第１層を形成するための光沢記録材の前記第１層におけるドット配置に対応する第１ドット配置データを取得する第１取得ステップと、
前記第２層を形成するための有色記録材の記録量を表し、前記第３領域と前記第４領域とで前記有色記録材の記録量が異なる画像データを取得する第２取得ステップと、
前記第１ドット配置データに基づいて、前記画像データに対して行う誤差拡散法によるハーフトーン処理の拡散係数を補正する補正ステップと、
前記補正ステップによって補正された前記拡散係数を用いた誤差拡散法により、前記画像データを、前記記録媒体上における前記有色記録材のドット配置に対応する第２ドット配置データに変換する前記ハーフトーン処理を行うハーフトーンステップと、
を有することを特徴とする画像処理方法。
【手続補正２】
【補正対象書類名】明細書
【補正対象項目名】０００６
【補正方法】変更
【補正の内容】
【０００６】
上記課題を解決するために、本発明に係る画像処理装置は、第１領域と前記第１領域とは光沢特性が異なる第２領域とを有する第１層と、前記第１領域に対応する第３領域と前記第２領域に対応する第４領域とを有する第２層と、を積層した画像を記録媒体上に形成するためのデータを生成する画像処理装置であって、前記第１層を形成するための光沢記録材の前記第１層におけるドット配置に対応する第１ドット配置データを取得する第１取得手段と、前記第２層を形成するための有色記録材の記録量を表し、前記第３領域と前記第４領域とで前記有色記録材の記録量が異なる画像データを取得する第２取得手段と、前記第１ドット配置データに対応するドット配置に基づいて、前記画像データを、前記記録媒体上における前記有色記録材のドット配置に対応する第２ドット配置データに変換するハーフトーン処理を行うハーフトーン手段と、を有し、前記ハーフトーン手段は、前記第１ドット配置データに対応するドット配置に基づいて、前記第３領域における前記ハーフトーン処理と前記第４領域における前記ハーフトーン処理とを別々に行うことを特徴とする。